(57)【要約】【課題】  光ディスクへの記録管理データの記録が失敗するのを抑え、光ディスクに対するデータの記録にかかる時間の増大を抑えた光ディスク装置を提供する。【解決手段】  光ディスク装置１は、ＤＶＤ１０に照射するレーザ光のパワーをかえて、ＲＭＤを５個記録するので、適正な記録パワーで記録されたＲＭＤが存在する可能性を高めることができ、結果的にＲＭＤの記録が失敗するのを抑えられる。したがって、ＲＭＤの記録に要する時間の増大を抑えることができ、その結果データの記録に要する時間の増大が抑えられ、装置本体の信頼性の向上が図れる。【選択図】  図１
2005100485.tif 000002
【特許請求の範囲】
【請求項１】
本体にセットされている光ディスクにレーザ光を照射し、この光ディスクへのデータの記録、およびこの光ディスクに記録されているデータの読取を行う記録／読取手段と、
光ディスク毎に、この光ディスクを識別する識別コードと、この光ディスクにデータを記録したときに照射したレーザ光の記録パワーと、を対応づけて登録する記録パワーテーブルと、
記録／読取手段により本体にセットされている光ディスクにデータを記録するとき、上記記録パワーテーブルから、この光ディスクの識別コードに対応づけられている記録パワーを読み出し、光ディスクに照射するレーザ光のパワーをこの記録パワーに基づいて制御する記録パワー制御手段と、を備えた光ディスク装置において、
所定のタイミングで、上記記録／読取手段により本体にセットされている光ディスクの記録管理領域に、装置本体の情報である記録管理データをＮ個繰り返して記録する記録管理データ記録手段と、
上記記録／読取手段により本体にセットされている光ディスクにデータを記録するとき、上記記録パワーテーブルにこの光ディスクの識別コードが登録されていなければ、この光ディスクのパワーキャリブレーション領域に照射するレーザ光のパワーを段階的に変化させながら適当なデータを試し書きし、データが最適に記録されるレーザ光のパワーを検出する最適記録パワー検出手段と、
上記最適記録パワー検出手段により検出したレーザ光のパワーと、本体にセットされている光ディスクの識別コードと、を対応づけて上記記録パワーテーブルに登録する登録手段と、
上記記録管理データ記録手段が、本体にセットされている光ディスクの記録管理領域に記録管理データをＮ個繰り返して記録したとき、記録管理データが最適に記録されたときのレーザ光のパワーを検出し、上記記録パワーテーブルに登録されている該当する光ディスクの記録パワーを、ここで検出したパワーに更新する更新手段と、を備え、
さらに、上記記録パワー制御手段は、記録管理データ記録手段が記録管理データをＮ個繰り返し記録しているとき、１つの記録管理データが記録される毎に光ディスクに照射するレーザ光のパワーを所定量ずつ上げていき、このときに記録パワーを変化させる範囲の中心を、この時点において上記記録パワーテーブルに登録されている記録パワーとする光ディスク装置。
【請求項２】
本体にセットされている光ディスクにレーザ光を照射し、この光ディスクへのデータの記録、およびこの光ディスクに記録されているデータの読取を行う記録／読取手段と、
光ディスク毎に、この光ディスクを識別する識別コードと、この光ディスクにデータを記録したときに照射したレーザ光の記録パワーと、を対応づけて登録する記録パワーテーブルと、
記録／読取手段により本体にセットされている光ディスクにデータを記録するとき、上記記録パワーテーブルから、この光ディスクの識別コードに対応づけられている記録パワーを読み出し、光ディスクに照射するレーザ光のパワーをこの記録パワーに基づいて制御する記録パワー制御手段と、を備えた光ディスク装置において、
所定のタイミングで、上記記録／読取手段により本体にセットされている光ディスクの記録管理領域に、装置本体の情報である記録管理データをＮ個繰り返して記録する記録管理データ記録手段を備え、
上記記録パワー制御手段は、記録管理データ記録手段が記録管理データをＮ個繰り返し記録しているとき、１つの記録管理データが記録される毎に光ディスクに照射するレーザ光のパワーを所定量ずつ上げていく光ディスク装置。
【請求項３】
上記記録／読取手段により本体にセットされている光ディスクにデータを記録するとき、上記記録パワーテーブルにこの光ディスクの識別コードが登録されていなければ、この光ディスクのパワーキャリブレーション領域に照射するレーザ光のパワーを段階的に変化させながら適当なデータを試し書きし、データが最適に記録されるレーザ光のパワーを検出する最適記録パワー検出手段と、
上記最適記録パワー検出手段により検出したレーザ光のパワーと、本体にセットされている光ディスクの識別コードと、を対応づけて上記記録パワーテーブルに登録する登録手段と、を備えた請求項２に記載の光ディスク装置。
【請求項４】
上記記録管理データ記録手段が、本体にセットされている光ディスクの記録管理領域に記録管理データをＮ個繰り返して記録したとき、記録管理データが最適に記録されたときのレーザ光のパワーを検出し、上記記録パワーテーブルに登録されている該当する光ディスクの記録パワーを、ここで検出したパワーに更新する更新手段を備えた請求項２または３に記載の光ディスク装置。
【請求項５】
上記記録パワー制御手段は、記録管理データ記録手段が記録管理データをＮ個繰り返し記録するときに、記録パワーを変化させる範囲の中心を、この時点において上記記録パワーテーブルに登録されている記録パワーとする請求項２〜４のいずれかに記載の光ディスク装置。
【発明の詳細な説明】
【技術分野】
【０００１】
この発明は、ＤＶＤ−Ｒ／ＲＷ等の光ディスクにデータを記録する光ディスク装置に関する。
【背景技術】
【０００２】
従来より、ＤＶＤ−Ｒ／ＲＷ等の光ディスクにデータを記録する光ディスク装置が実用化されている。この種の光ディスクは、本体にセットされている光ディスクにデータを記録するとき、ＯＰＣ（Ｏｐｔｉｍｕｍ  Ｐｏｗｅｒ  Ｃｏｎｔｒｏｌ）を行い、この光ディスクに対してデータを最適に記録することができるレーザ光のパワー（記録パワー）を検出している。ＯＰＣは、特許文献１〜３等で示されているように、光ディスクに形成されているＰＣＡ（Ｐｏｗｅｒ  Ｃａｌｉｂｒａｔｉｏｎ  Ａｒｅａ）に対して、レーザ光のパワーを段階的に変化させながら適当なデータを記録し、データが最適に記録されたときのレーザ光のパワーを検出する処理である。光ディスク装置は、このＯＰＣで検出した記録パワーのレーザ光を光ディスクに照射して、データを記録する。また、特許文献１では、１回のＯＰＣで使用するエリアを抑えることにより、ＯＰＣが行える回数を増大させる提案がなされている。
【０００３】
一方、光ディスクへのデータの記録に要する時間を短縮するために、データの記録時に毎回ＯＰＣを行わないで、前回のデータの記録時における記録パワーでデータを記録することが提案されている。具体的には、光ディスクに初めてデータを記録するときにＯＰＣを行って、この光ディスクに対する記録パワーを検出し、データを記録するとともに、この記録パワーををメモリに記憶する。２回目以降のデータの記録では、メモリに記憶している記録パワーでデータの記録を開始する。その後、公知のランニングＯＰＣにより記録パワーを調整しながらデータを記録する。
【特許文献１】実用新案登録第３０５９３３４号公報
【特許文献２】特開平３−１１３８４１号公報
【特許文献３】特開２０００−９０４６５号公報
【発明の開示】
【発明が解決しようとする課題】
【０００４】
しかしながら、ＤＶＤ−Ｒ／ＲＷではディスクの記録モードや最終記録アドレスを記録するために、データの記録時にデータを記録する装置の情報であるＲＭＤ（Ｒｅｃｏｒｄｉｎｇ  Ｍａｎｅｇｅｍｅｎｔ  Ｄａｔａ）を、データを記録する光ディスクに記録するように定められている。ＲＭＤの記録は、データの記録に先立って行われる。ＤＶＤ−Ｒ／ＲＷには、この記録管理情報を記録するためのエリア（ＲＭＡ（Ｒｅｃｏｒｄｉｎｇ
Ｍａｎｅｇｅｍｅｎｔ  Ａｒｅａ）が設けられている。このＲＭＡがこの発明で言う記録管理領域であり、ＲＭＤがこの発明で言う記録管理データである。また、光ディスク装置は、通常ＲＭＡにＲＭＤを５個繰り返して記録する。言い換えれば、ＲＭＡには、同じデータであるＲＭＤが５個記録される。
【０００５】
上述したデータの記録時に毎回ＯＰＣを行わない方式（ＯＰＣを実行せずに、メモリに記憶している記録パワーでデータを記録する方式）の光ディスク装置では、光ディスクの経時変化等の影響を受けて、メモリに記憶している記録パワーに対して、実際にデータの記録が最適に行える記録パワーが変化する。このため、メモリに記憶している記録パワーでＲＭＤの記録を行う従来の装置では、ＲＭＤの記録が失敗し、ＲＭＤの記録のリトライ回数が増大し、結果的にデータの記録にかかる時間を増大させるという問題があった。
【０００６】
この発明の目的は、光ディスクへの記録管理データの記録が失敗するのを抑え、光ディスクに対するデータの記録にかかる時間の増大を抑えた光ディスク装置を提供することにある。
【課題を解決するための手段】
【０００７】
この発明の光ディスク装置は、上記課題を解決するために以下の構成を備えている。
【０００８】
（１）本体にセットされている光ディスクにレーザ光を照射し、この光ディスクへのデータの記録、およびこの光ディスクに記録されているデータの読取を行う記録／読取手段と、
光ディスク毎に、この光ディスクを識別する識別コードと、この光ディスクにデータを記録したときに照射したレーザ光の記録パワーと、を対応づけて登録する記録パワーテーブルと、
記録／読取手段により本体にセットされている光ディスクにデータを記録するとき、上記記録パワーテーブルから、この光ディスクの識別コードに対応づけられている記録パワーを読み出し、光ディスクに照射するレーザ光のパワーをこの記録パワーに基づいて制御する記録パワー制御手段と、を備えた光ディスク装置において、
所定のタイミングで、上記記録／読取手段により本体にセットされている光ディスクの記録管理領域に、装置本体の情報である記録管理データをＮ個繰り返して記録する記録管理データ記録手段を備え、
上記記録パワー制御手段は、記録管理データ記録手段が記録管理データをＮ個繰り返し記録しているとき、１つの記録管理データが記録される毎に光ディスクに照射するレーザ光のパワーを所定量ずつ上げていく。
【０００９】
この構成では、記録パワーテーブルに、光ディスクの識別コードと、記録パワーとが対応づけて登録されている。光ディスクにデータを記録するとき、記録パワー制御手段が、記録パワーテーブルからこの光ディスクの識別コードに対応づけられている記録パワーを読み出し、ここで読み出した記録パワーに基づいて、光ディスクに照射するレーザ光のパワーを制御する。記録パワー制御手段は、例えば公知のランニングＯＰＣにより記録パワーを調整しながらデータを記録する。
【００１０】
また、光ディスクの記録管理領域に記録管理データがＮ個繰り返して記録するとき、記録パワー制御手段が、１つの記録管理データが記録される毎に光ディスクに照射するレーザ光のパワーを所定量ずつ上げていく。したがって、Ｎ個の記録管理データが、それぞれ異なる記録パワーで記録される。このため、いずれかの記録管理データが最適な記録パワーで記録される可能性が高くなり、記録管理データの記録が失敗するのを抑えられ、光ディスクに対するデータの記録にかかる時間の増大を抑えることができ、装置の信頼性の向上が図れる。
【００１１】
なお、光ディスクに記録したＮ個の記録管理データは、再生時に少なくとも１つが読み取れればよく、Ｎ個全てが読み取れなくても何ら問題は生じない。
【００１２】
（２）上記記録／読取手段により本体にセットされている光ディスクにデータを記録するとき、上記記録パワーテーブルにこの光ディスクの識別コードが登録されていなければ、この光ディスクのパワーキャリブレーション領域に照射するレーザ光のパワーを段階的に変化させながら適当なデータを試し書きし、データが最適に記録されるレーザ光のパワーを検出する最適記録パワー検出手段と、
上記最適記録パワー検出手段により検出したレーザ光のパワーと、本体にセットされている光ディスクの識別コードと、を対応づけて上記記録パワーテーブルに登録する登録手段と、を備えている。
【００１３】
この構成では、光ディスクに初めてデータを記録するときに、最適記録パワー検出手段がＯＰＣを実行して、記録パワーを検出し、登録手段がこれを記録パワーテーブルに登録する。
【００１４】
（３）上記記録管理データ記録手段が、本体にセットされている光ディスクの記録管理領域に記録管理データをＮ個繰り返して記録したとき、記録管理データが最適に記録されたときのレーザ光のパワーを検出し、上記記録パワーテーブルに登録されている該当する光ディスクの記録パワーを、ここで検出したパワーに更新する更新手段を備えている。
【００１５】
この構成では、記録管理領域にＮ個の記録管理データを記録したとき、記録管理データが最適に記録されたときのレーザ光のパワーを検出し、記録パワーテーブルに登録されている記録パワーを更新する。したがって、光ディスクの経時変化等の影響を考慮して、記録パワーテーブルに登録されている記録パワーを更新できる。
【００１６】
（４）上記記録パワー制御手段は、記録管理データ記録手段が記録管理データをＮ個繰り返し記録するときに、記録パワーを変化させる範囲の中心を、この時点において上記記録パワーテーブルに登録されている記録パワーとする。
【００１７】
この構成では、記録管理データを記録するときの記録パワーを、記録パワーテーブルに登録されている記録パワーを中心に変化させるので、いずれかの記録管理データが最適な記録パワーで記録される可能性を一層高めることができ、装置の信頼性の一層の向上が図れる。
【発明の効果】
【００１８】
この発明によれば、Ｎ個の記録管理データをそれぞれ異なる記録パワーで記録するので、記録管理データの記録が失敗するのを抑えることができる。これにより、光ディスクに対するデータの記録にかかる時間の増大を抑えることができ、装置の信頼性の向上が図れる。
【発明を実施するための最良の形態】
【００１９】
以下、この発明の実施形態である光ディスク装置について説明する。
【００２０】
図１は、この発明の実施形態である光ディスク装置の主要部の構成を示す図である。この実施形態の光ディスク装置１は、本体にセットされているＤＶＤ１０に記録されているデータの読み取り、およびＤＶＤ１０（ＤＶＤ−Ｒ／ＲＷ）にデータの記録が行える、記録／再生装置である。図１において、２はＤＶＤ１０にレーザ光を照射し、その反射光を検出するピックアップヘッドである。ピックアップヘッド２は、トラッキングエラー信号（以下、ＴＥ信号と言う。）、フォーカスエラー信号（以下、ＦＥ信号と言う。）、および読み取り信号（以下、ＲＦ信号と言う。）を出力する。ＴＥ信号は、レーザ光の照射位置と、ＤＶＤ１０に形成されているトラックの中心とのズレ量に応じて変化する信号であり、またＦＥ信号はレーザ光の焦点位置と、ＤＶＤ１０のデータの記録面とのズレ量に応じて変化する信号である。サーボ制御部３は、ＴＥ信号に基づいてレーザ光の照射位置がＤＶＤ１０に形成されているトラックの中心になるようにピックアップヘッド２をＤＶＤ１０の半径方向に移動させる。また、ＦＥ信号に基づいてレーザ光の焦点位置がＤＶＤ１０のデータの記録面に一致するようにピックアップヘッド２内に設けられている対物レンズ（不図示）をＤＶＤ１０に接離する方向に移動させる。サーボ制御部３におけるこれらの制御は、トラッキングサーボ制御、フォーカスサーボ制御と呼ばれている。
【００２１】
ＲＦ信号は、ＤＶＤ１０に記録されているデータの読み取り信号であり、再生部４に入力される。再生部４は、入力されたＲＦ信号を処理し、ＤＶＤ１０に記録されているデータの再生信号を出力する。パワー制御部５は、ピックアップヘッド２からＤＶＤ１０に照射されるレーザ光のパワーを制御するとともに、ＤＶＤ１０へのデータの記録時にはピックアップヘッド２から照射されるレーザ光を、記録するデータに基づいてオン／オフする。また、図１に示す６は、本体にセットされたＤＶＤ１０を回転させるスピンドルモータであり、７はＤＶＤ１０毎にその識別コードと、記録パワーと、を対応づけて登録する記録パワーテーブル（図２参照）を記憶した記憶部である。
【００２２】
次に、この実施形態の光ディスク装置１の動作について説明する。この実施形態の光ディスク装置１は、ＤＶＤ−Ｒ／ＲＷに記録されているデータを読み取り再生する再生動作、および外部機器等から入力されたデータをＤＶＤ−Ｒ／ＲＷに記録する記録動作が行える構成である。再生動作については、公知の光ディスク装置と同じであるので、ここでは説明を省略する。以下、記録動作について説明する。
【００２３】
図３は、この実施形態の光ディスク装置の記録動作を示すフローチャートである。光ディスク装置１は、本体にセットされているＤＶＤ１０の識別コードを読み取り（ｓ１）、該当する識別コードが記憶部７に記憶している記録パワーテーブルに登録されているかどうかを判定する（ｓ２）。光ディスク装置１は、ｓ２で該当する識別コードが登録されていなければ、本体にセットされているＤＶＤ１０のＰＣＡ領域を利用して、ＯＰＣを実行し（ｓ４）、データの記録が最適に行える記録パワーを検出する（ｓ５）。ＯＰＣについては、公知であるのでここでは説明を省略する。光ディスク装置１は、ｓ４にかかるＯＰＣで、データの記録が最適に行える記録パワーを検出すると、ｓ１で読み取った識別コードと、ｓ４のＯＰＣで検出したデータの記録が最適に行える記録パワーと、を対応づけて、記憶部７に記憶している記録パワーテーブルに登録する（ｓ６）。一方、該当するＤＶＤ１０の識別コードが記憶部７に記憶している記録パワーテーブルに登録されていれば、上記ｓ４〜ｓ６にかかる処理を実行することなく、記録パワーテーブルから登録されている記録パワーを読み出す（ｓ３）。
【００２４】
このように、光ディスク装置１は記録パワーテーブルに識別コードが登録されているＤＶＤ１０にデータを記録するときには、ＯＰＣを実行しない。また、記録パワーテーブルに識別コードが登録されていないＤＶＤ１０にデータを記録するときには、ＯＰＣを実行し、検出したデータの記録が最適に行える記録パワーを記録パワーテーブルに登録する。すなわち、初めてデータを記録するＤＶＤ１０（他の装置でデータの記録が行われている場合を含む）については、ＯＰＣを実行し、過去にデータを記録したことがあるＤＶＤ１０についてはＯＰＣを実行しない。
【００２５】
光ディスク装置１０は、ｓ３、またはｓ５で得た記録パワーを基に、ＲＭＤの記録処理を実行する（ｓ７）。図４は、ＲＭＤの記録処理を示すフローチャートである。光ディスク装置１は、ＲＭＤをＲＭＡに５個繰り返し記録する。また、ＤＶＤ１０に照射するレーザ光のパワーを、１つのＲＭＤを記録する毎に所定量（ΔＰ）大きくする。光ディスク装置１は、まずこのΔＰを算出する（ｓ１１）。このΔＰは、ｓ３、またはｓ５で得た記録パワー（Ｐ）から算出される。具体的には、ΔＰはｓ３、またはｓ５で得た記録パワー（Ｐ）のｎ％、ここでは２．５％、である。光ディスク装置１は、ｓ１１でΔＰを算出すると、ＤＶＤ１０に照射するレーザ光のパワーを、ｓ３、またはｓ５で得た記録パワー（Ｐ）の９５％に決定し（ｓ１２）、ＲＭＤを１つ記録する（ｓ１３）。１個めのＲＭＤの記録が完了すると、ＤＶＤ１０に照射するレーザ光のパワーをΔＰだけアップさせて（ｓ１４）、ＲＭＤを記録する（ｓ１３）。これを繰り返してＲＭＤを５個記録すると（ｓ１４）、本処理を終了する。
【００２６】
これにより、ＤＶＤ１０のＲＭＡには、Ｐ−２×ΔＰ、Ｐ−ΔＰ、Ｐ、Ｐ＋ΔＰ、Ｐ＋２×ΔＰの５段階のパワーのレーザ光でＲＭＤが記録される（図５参照）。このように、ＤＶＤ１０に照射するレーザ光のパワーをかえて、ＲＭＤを５個記録したので、適正な記録パワーで記録されたＲＭＤが存在する可能性を高めることができ、結果的にＲＭＤの記録が失敗するのを抑えられる。しかも、ｓ３、またはｓ５で得た記録パワーを中心にした範囲でＤＶＤ１０に照射するレーザ光のパワーを変化させるので、適正な記録パワーでＲＭＤを記録する可能性を一層高められる。したがって、ＲＭＤの記録に要する時間の増大を抑えることができ、その結果データの記録に要する時間の増大が抑えられ、装置本体の信頼性の向上が図れる。
【００２７】
光ディスク装置１は、ｓ７にかかるＲＭＤの記録を完了すると、今回記録した５個のＲＭＤの中から、記録状態が最適であるＲＭＤを記録したときにＤＶＤ１０に照射したレーザ光のパワーを新たな記録パワーとして検出し、記録パワーテーブルに登録されている該当する記録パワーを、ここで検出した記録パワーに更新する（ｓ８）。そして、ｓ８で更新した記録パワーでＤＶＤ１０に対するデータの記録を開始する（ｓ９）。ｓ９におけるデータの記録では、公知のランニングＯＰＣにより、ＤＶＤ１０に照射するレーザ光のパワーが調整される。
【００２８】
このように、今回記録したＲＭＤの記録状態に基づいて、記録パワーテーブルに登録されている該当する記録パワーを更新する構成としたので、ＤＶＤ１０の経時変化等の影響を考慮して、記録パワーテーブルに登録されている記録パワーを更新できる。これにより、ＤＶＤ１０の経時変化等の影響を抑えたデータの記録が行える。
【図面の簡単な説明】
【００２９】
【図１】この発明の実施形態である光ディスク装置の主要部の構成を示す図である。
【図２】記録パワーテーブルの構成を示す図である。
【図３】この発明の実施形態である光ディスク装置の記録動作を示すフローチャートである。
【図４】この発明の実施形態である光ディスク装置におけるＲＭＤの記録動作を示すフローチャートである。
【図５】この発明の実施形態である光ディスク装置におけるＲＭＤの記録動作における記録パワーの変化を示す図である。
【符号の説明】
【００３０】
１−光ディスク装置
２−ピックアップヘッド
３−サーボ制御部
４−再生部
５−記録部
６−パワー制御部
７−スピンドルモータ
８−記憶部
【図１】
2005100485.tif 000003
【図２】
2005100485.tif 000004
【図３】
2005100485.tif 000005
【図４】
2005100485.tif 000006
【図５】
2005100485.tif 000007